(57)【要約】【課題】ドアスイッチが配設された上下方向に並設した扉において、該ドアスイッチが誤作動をしない貯蔵庫のドア装置を提供する。【解決手段】上下に並設した扉１６，１８の上下に対向する一方の端面に配設される感知部２２と、他方の端面に配設される被感知部２４とから、内部機器制御用のドアスイッチ２０が構成される。両扉１６，１８の上下に対向する端面における前記感知部２２および被感知部２４の配設位置から離間する位置に、同極同士を上下に対向可能な一対の磁石３１，３２が配設される。両扉１６，１８の開放状態において、両磁石３１，３２の反発作用により感知部２２と被感知部２４とが上下に重ならないよう両扉１６，１８を相互に離間させるので、前記ドアスイッチ２０の誤作動を防止することができる。【選択図】　図１
2004116817.tif 000002
【特許請求の範囲】
【請求項１】
本体（１０）に内部画成された収容室（１２）の開口部（１４）を開閉可能に閉成する上下方向に並設された一対の扉（１６，１８）を備え、両扉（１６，１８）の上下に対向する一方の端面（１６ａ）に配設される感知部（２２）と、他方の端面（１８ａ）に配設される被感知部（２４）とからなる内部機器の制御スイッチ（２０）が付設され、前記感知部（２２）と被感知部（２４）とが上下に重なることで両扉（１６，１８）の閉成状態を検知するようにした貯蔵庫において、
前記両扉（１６，１８）を開放した際に、前記感知部（２２）と被感知部（２４）とが上下に重なるのを規制する規制手段（３０）を両扉（１６，１８）に設けた
ことを特徴とする貯蔵庫のドア装置。
【請求項２】
前記規制手段（３０）は、前記両扉（１６，１８）の上下に対向する端面（１６ａ，１８ａ）における前記感知部（２２）および被感知部（２４）の配設位置から離間する位置に配設されて、同極同士を上下に対向可能な一対の磁石（３１，３２）で構成され、両扉（１６，１８）の開放状態において、両磁石（３１，３２）の反発作用により感知部（２２）と被感知部（２４）とが上下に重ならないよう両扉（１６，１８）を相互に離間させるようになっている請求項１記載の貯蔵庫のドア装置
【請求項３】
前記両扉（１６，１８）の最大開放角度が異なるよう設定される請求項１または２記載の貯蔵庫のドア装置。
【発明の詳細な説明】
【０００１】
【発明の属する技術分野】
この発明は、例えば冷蔵庫に開閉可能に配設した複数の扉に付設されて、該扉の開閉状態を検知する内部機器の制御スイッチの誤作動を防ぐようにした貯蔵庫のドア装置に関するものである。
【０００２】
【従来の技術】
各種食材等を冷蔵し、保管するための貯蔵庫としての冷蔵庫では、図６に示すように、その本体をなす断熱箱体１０に内部画成された複数の収容室１２と連通する各開口部１４が前面側に開設されると共に、各開口部１４を閉成し得る扉１６，１８が対応して開閉可能に配設されている。前記各扉１６，１８の回動支点側の端部と断熱箱体１０との間には、ヒンジ１９が上下方向に所要間隔離間して配設され、該ヒンジ１９を支点に扉１６，１８を回動することにより開口部１４が開閉されるようになっている。
【０００３】
従来より冷蔵庫に収容品を出し入れするために扉１６，１８を開放した際に、収容室１２内を明るくする庫内灯を点灯させたり、または扉１６，１８の開放時に収容室１２内の冷気が外部に流出するのを少なくするために冷気循環ファンを停止させる制御スイッチ２０が、扉１６，１８に配設されている。この制御スイッチはドアスイッチ２０と呼ばれ、２枚の扉１６，１８が上下方向に並設された冷蔵庫においては、上部扉１６における下端面に配設されたスイッチ要素である感知部２２と、該感知部２２に対向する下部扉１８における上端面に配設された別のスイッチ要素である被感知部２４との２つのスイッチ要素を一組として、内部機器を制御する構成のドアスイッチ２０が知られている（例えば、特許文献１参照）。
【０００４】
すなわち、前記ドアスイッチ２０は、どちらか一方の扉１６，１８を開放した際、該扉１６，１８のスイッチ要素２２，２４が他方の扉１８，１６に配設された別のスイッチ要素２４，２２と離間することで、該ドアスイッチ２０はＯＦＦとなり、前記庫内灯を点灯させたり、冷気循環ファンを停止する。また、両扉１６，１８が閉成することで、両スイッチ要素２２，２４が整列的に対向して、ドアスイッチ２０がＯＮとなることで、前記庫内灯を消灯し、前記冷気循環ファンを作動させるよう制御している。
【０００５】
【特許文献１】
実開平１−１４４７９０号公報
【０００６】
【発明が解決しようとする課題】
しかし、このように上下方向に並設された扉１６，１８の対向する端面に配設される感知部２２と被感知部２４とで構成された前記ドアスイッチ２０では、上下の両扉１６，１８を一度に開放した際、該両扉１６，１８が上下に重なった状態で保持されると、該ドアスイッチ２０の感知部２２と被感知部２４も整列的に対向し、該感知部２２は被感知部２４を検知して、該ドアスイッチ２０はＯＮ状態になってしまう。このため、上下の扉１６，１８が開放状態にあるにも拘わらず、冷気循環ファンを作動させ、収容室１２内の冷気を過剰に逃がしてしまうと共に、庫内灯が消灯してしまう欠点がある。また、両扉１６，１８の最大開放角度は、上下とも所定のストッパ機構にて同一角度に設定されているので、両扉１６，１８を最大限に開放した際も、両扉１６，１８は上下に重なった状態で保持され、前記ドアスイッチ２０をＯＮ状態にしてしまう誤作動を起こす問題も指摘される。
【０００７】
【発明の目的】
この発明は、従来の技術に係る貯蔵庫のドア装置に内在する前記問題に鑑み、これらを好適に解決するべく提案されたものであって、上下方向に並設された扉の上下に対向する端面に夫々制御スイッチの要素が配設された扉において、扉開放時における該制御スイッチの誤作動を防止し得る貯蔵庫のドア装置を提供することを目的とする。
【０００８】
【課題を解決するための手段】
前記課題を克服し、所定の目的を達成するため、本発明に係る貯蔵庫のドア装置は、
本体に内部画成された収容室の開口部を開閉可能に閉成する上下方向に並設された一対の扉を備え、両扉の上下に対向する一方の端面に配設される感知部と、他方の端面に配設される被感知部とからなる内部機器の制御スイッチが付設され、前記感知部と被感知部とが上下に重なることで両扉の閉成状態を検知するようにした貯蔵庫において、
前記両扉を開放した際に、前記感知部と被感知部とが上下に重なるのを規制する規制手段を両扉に設けたことを特徴とする。
【０００９】
【発明の実施の形態】
次に、本発明の好適な実施例に係る貯蔵庫のドア装置につき、好適な実施例を挙げて、添付図面を参照して以下に説明する。なお、説明の便宜上、図６に示した貯蔵庫の構成要素と同一の要素については、同一の符号を使用して説明する。また、実施例においては、貯蔵庫として冷蔵庫を挙げて説明するが、このドア装置を用いる対象物としては、冷蔵庫に限らず冷凍庫、温蔵庫、配膳車、オーブン等、扉が回動可能に取付けられると共に、上下方向に少なくとも２枚の扉が並列的に配設され、該扉の開閉に連動して内部機器を制御する必要があるものであればよい。
【００１０】
実施例に係るドア装置が配設された冷蔵庫は、図１または図２に示すように、内装４０と外装４２の間にウレタン等の発泡断熱材を充填してなる本体としての断熱箱体１０の内部に、食品や飲料品等を収容する収容室１２が内部画成されると共に、該断熱箱体１０の上部には機械室４４が画成されている。この機械室４４には、冷凍機構４６が収納され、該冷凍機構４６から冷媒が循環供給される冷却器４８および冷気循環ファン５０が収納される冷却室５２が、機械室４４と収容室１２との間に画成されている。前記収容室１２と冷却室５２とを連通する吸込み口５４が前側に形成されると共に、後側には吹出し口５６が形成されており、冷気循環ファン５０を回転することにより、吸込み口５４から冷却室５２に吸込んだ収容室１２内空気を、前記冷却器４８に強制的に接触させて冷気とした後、該吹出し口５６を介して収容室１２に吹出すことで、該収容室１２を冷却するように構成される。
【００１１】
実施例の断熱箱体１０には、４つの収容室１２が間仕切り板により上下および左右に仕切られると共に、各収容室１２の前面に、開口部１４が開設されている。また断熱箱体１０には、各開口部１４を閉成し得るように、上側の開口部１４には上部扉１６および下側の開口部１４には下部扉１８が、夫々一方の端縁部をヒンジ１９を介して断熱箱体１０に回動可能に配設してある。両扉１６，１８は、矩形箱状に成形された本体部の内部空間に、発泡断熱材を充填して構成される。前記両扉１６，１８の最大開放角度は、所定の手段で規制されて異なるようになっている。すなわち、図３の右側において上下に並設された扉１６，１８で示すように、両扉１６，１８の最大開放角度は所定のストッパ機構（図示せず）にて別々に設定され、夫々の扉１６，１８を最大限に開放した際に、両扉１６，１８の上下に対向する端面１６ａ，１８ａが整列状態で上下に重なることがないよう構成されている。
【００１２】
前記ドア装置は、上下の扉１６，１８の夫々に配設された感知部２２と被感知部２４からなるドアスイッチ２０と、該ドアスイッチ２０と同一端面１６ａ，１８ａの離間した位置に配設される規制手段３０としての一対の磁石３１，３２から構成される。すなわち、前記感知部２２は、上部扉１６の下端面１６ａにおけるヒンジ１９と近接する位置に配設され、前記被感知部２４は、下部扉１８の上端面１８ａにおいて前記感知部２２と上下に対向し得る位置に配設される。この感知部２２は、リードスイッチ機構の如きものであって、図４に示すように、上部扉１６における下端面１６ａに感知面を隣接させて発泡断熱材に埋め込まれている。そして、前記感知部２２から図示しない制御回路に信号を送る配線２６が延出し、該配線２６は上部扉１６内部の発泡断熱材に埋め込まれ、上方のヒンジ１９を介して機械室４４内へ引き込まれている。前記被感知部２４は、マグネットの如く磁性をもつものであって、下部扉１８の上端面１８ａにその一端を隣接させて、発泡断熱材に埋め込まれている。また被感知部２４は、上下の扉１６，１８を閉成することで両扉１６，１８が上下に整列的に重なった際に、上部扉１６に配設された感知部２２に対して整列的に重なり、このときに感知部２２が被感知部２４を検知し、当該ドアスイッチ２０が両扉１６，１８の閉成状態を検知（ＯＮ）するようになっている。そして、上下何れかの扉１６，１８を開放することで感知部２２と被感知部２４とが離間してドアスイッチ２０が非検知（ＯＦＦ）状態となったときに、前記制御回路は前記冷気循環ファン５０を停止したり、図示しない庫内灯を点灯するよう設定されている。
【００１３】
前記磁石３１，３２は、図５に示すように、上部磁石３１が上部扉１６の前記感知部２２から離間した開放端部近傍の同一上端面１６ａに配設され、該上部磁石３１の一端は前記上部扉１６を画成する外装材に隣接して発泡断熱材に埋め込まれている。また、下部磁石３２は上下の両扉１６，１８を閉成した状態で、上部扉１６に配設された前記上部磁石３１に整列的に対向する下部扉１８の上端面１８ａに配設される。すなわち、下部磁石３２は、下部扉１８の上端面１８ａにその一端を隣接させて、発泡断熱材に埋め込まれている。両磁石３１，３２は、同極同士を上下に対向可能に配設され、両扉１６，１８を開放した状態では、両磁石３１，３２の反発力によって前記感知部２２と被感知部２４とが上下に重ならないように、両扉１６，１８を離間移動させるよう構成される。なお、両磁石３１，３２の反発力は、両扉１６，１８をゴム磁石等により閉成位置に保持するのに支障を来さない値に設定される。
【００１４】
【実施例の作用】
次に、実施例に係る貯蔵庫のドア装置の作用について説明する。図２に示すように、前記断熱箱体１０における各収容室１２の各開口部１４を閉成するよう上下に配設された扉１６，１８は、その閉成時において、両扉１６，１８の上下に対向する端面１６ａ，１８ａは平行に重なり、上部扉１６に配設された感知部２２と下部扉１８に配設された被感知部２４も上下方向に整列状態で対向する。両扉１６，１８に配設されたスイッチ要素が対向して臨むと、上部扉１６の感知部２２は、被感知部２４であるマグネットの磁気を感知してドアスイッチ２０はＯＮ状態となる。すなわち、前記冷気循環ファン５０に運転命令を出し、収容室１２内を冷気が循環すると共に、前記庫内灯は消灯状態に保持される。このとき、前記ドアスイッチ２０の両要素２２，２４と同一端面１６ａ，１８ａに配設された両磁石３１，３２は、上下方向に対向して互いに反発しあうが、両扉１６，１８に設けられたゴム磁石等の保持手段（図示せず）により該両扉１６，１８の閉成状態は維持される。また、例えば上部扉１６を開放した際には、整列状態で対向していた前記感知部２２および被感知部２４は、該扉１６の開放に伴って離間してドアスイッチ２０がＯＦＦ状態となり、冷気循環ファン５０の作動が停止され、開放された該扉１６の開口部１４から冷気が逃げるのを防止する。更に、前記庫内灯は点灯されて、収容室１２内を明るくする。
【００１５】
次に、図３の左側において上下に並設された扉１６，１８で示すように、上下の両扉１６，１８を開放した場合においては、上下に配設されて同極同士を対向する両磁石３１，３２が反発しあうことにより、上下の両扉１６，１８は重なり合った状態で維持されることがなく相互に離間する方向に回動する。すなわち、両扉１６，１８が開放した状態において、前記感知部２２と被感知部２４が整列的に対向する状態が維持されないので、両扉１６，１８が開放状態にあるにも拘わらず前記ドアスイッチ２０がＯＮ状態となる誤作動を防止し得る。また、上下方向に並設した扉１６，１８の最大開放角度が異なるように設定されているので、両扉１６，１８は最大開放位置にてストッパ機構にて係止された時、重なり合った状態で保持されることがなく、ドアスイッチ２０の誤作動を防止することができる。
【００１６】
前記ドアスイッチ２０にて冷気循環ファン５０や庫内灯を制御する場合について説明したが、制御する機器は冷気循環ファン５０や庫内灯に限定されず、その他の内部機器であってもよい。また、前記ドアスイッチ２０は上部扉１６に感知部２２を配設し、下部扉１８に被感知部２４を配設する構成であるが、上部扉１６に被感知部２４を配設し、下部扉１８に感知部２２を配設する構成であってもよい。前記ドアスイッチ２０の扉１６，１８に配設する位置は適宜に変更され、該ドアスイッチ２０の位置に合わせて磁石３１，３２の位置は変更される。
【００１７】
【発明の効果】
以上に説明した如く、本発明に係る貯蔵庫のドア装置によれば、上下に並設した扉の上下に対向する一方の端面に配設される感知部と、他方の端面に配設される被感知部とからなる内部機器の制御スイッチが付設される貯蔵庫において、両扉が開放した際に、前記感知部と被感知部とが上下に重なるのを規制手段により規制するよう構成したので、扉が開放しているにも拘わらず制御スイッチが扉の閉成状態を検知する誤作動を生ずるのを防止し得る。また、両扉の上下に対向する端面における前記感知部および被感知部の配設位置から離間する位置に、同極同士を上下に対向可能な一対の磁石を配設したことで、両扉の開放状態において、両磁石の反発作用により感知部と被感知部とが上下に重ならないよう両扉を相互に離間させることができ、前記制御スイッチの誤作動を防止することができる。更に、上下の扉の最大開放角度を異なるように設定したので、該両扉が最大限に開放された状態であっても、制御スイッチの誤作動を防止することができる。
【図面の簡単な説明】
【図１】本発明の好適な実施例に係るドア装置が配設された冷蔵庫を示す正面図である。
【図２】実施例に係るドア装置が配設された冷蔵庫を示す縦断側面図である。
【図３】実施例に係るドア装置が配設された冷蔵庫を示す横断平面図である。
【図４】実施例に係るドア装置のドアスイッチを示す図１のＡ−Ａ線断面図である。
【図５】実施例に係るドア装置の磁石を示す図１のＢ−Ｂ線断面図である。
【図６】従来の技術に係るドア装置が配設された冷蔵庫を示す正面図である。
【符号の説明】
１０　断熱箱体（本体），１２　収容室，１４　開口部，１６　上部扉
１６ａ　下端面，１８　下部扉，１８ａ　上端面，２２　感知部，２４　被感知部
２０　ドアスイッチ（制御スイッチ），３０　規制手段，３１　上部磁石
３２　下部磁石
【図１】
2004116817.tif 000003
【図２】
2004116817.tif 000004
【図３】
2004116817.tif 000005
【図４】
2004116817.tif 000006
【図５】
2004116817.tif 000007
【図６】
2004116817.tif 000008